(57)【要約】      （修正有）【課題】化粧品や薬液等の塗布剤を、容器から指先に一旦吐出してから、目的箇所に塗布すると云う、従来必要であった準備手順を無くして、すぐに目的箇所に塗布する事が出来るようにする。【解決手段】指サック１００又は手袋の指の腹部分に塗布剤Ｐを充填するための、漏出穴１１５を有する鞘状空間を設ける。そしてこの空間内に予め塗布剤Ｐを充填して、封止シール１１８で封止する。使用時には封止シール１１８を剥がして漏出穴１１５から漏出する塗布剤Ｐを目的箇所に塗布する。【選択図】図２
2018038775.tif 000002
【特許請求の範囲】
【請求項１】
漏出穴を有する両端が閉じた鞘状空間を指の腹表面に具備してなる指サック又は手袋であって、この鞘状空間内に塗布剤を充填し、封止シールで前記漏出穴を塞いでなる使い捨て塗布具
【請求項２】
漏出穴を有する一端が開口した鞘状空間を指の腹表面に具備してなる指サック又は手袋であって、この鞘状空間内に塗布剤を再充填し、封止シールで前記漏出穴を塞ぎ、この開口端に栓をして複数回利用を可能にし、またこの開口端にチューブを抜き差し自在にして、このチューブを介して塗布剤容器から塗布剤を補給しながら利用出来る事を特徴とする連続使用可能な汎用塗布具
【請求項３】
複数の鞘状空間を具備する請求項１及び請求項２記載の塗布具
【発明の詳細な説明】
【技術分野】
【０００１】
本発明は指先で薬液等をいろいろなものに塗る際に使用するものである。
【背景技術】
【０００２】
指先で薬液を塗りつける行為として、化粧品や薬品を肌に塗る、ヘアカラーを頭髪に塗る、塗料を工作物に塗る、のりを接着面に塗る等々であるが、この塗付けるもの（以下塗布剤と称する）は缶に入っていたりラミネートチューブに入っていたりする。  
従来はこの塗布剤を缶から指先で掬たり、ラミネートチューブから出して指先に乗せたりする準備手順を経て目的の箇所に塗布していた。
【０００３】
上記した不便を解消する目的でなされたものとして、や参考文献１、２、３が存在するが、これらは、特定の素材に薬剤を含侵させて  指サック状、グローブ状にしたものであり、使い捨てを主目的としたものである。
【０００４】
また、含侵式では特殊な素材面に塗布材を担持させのであるから、塗布材の保全性、利用率、含侵量等に難点があり、これらの欠点を補うため密封パック容器等に収納する必要があった。
【０００５】
本発明は含侵させるのではないので、上記した様な欠点が無い。
【先行技術文献】
【特許文献】
【０００６】
【特許文献１】特開2016-028029
【特許文献２】特願2004-9314
【特許文献３】実開昭62-177418
【発明の概要】
【発明が解決しようとする課題】
【０００７】
本発明は上記したように、塗るための準備手順を最小限として、直ちに目的の箇所に塗布剤を塗布する事が出来るようにする。  そして含侵式の欠点であった保全性の悪さ、利用率の低さ、含侵量の少なさ、等を解消すると共に、薬剤や化粧品だけでなく、接着剤や顔料等の汎用的な塗布具として使用可能にするものである。
【課題を解決するための手段】
【０００８】
漏出穴を有する鞘状空間を指サックの又は手袋の、指の腹部分に具備し、この鞘内に塗布剤を充填し密閉する。そしてこの漏出穴に封止シールを貼り付け、非使用には漏出する事が無い様にして、使用時にこれを剥がして塗布する。塗布剤の材質によっては漏出スリットにしたり、浸透膜や不織布の様な浸潤材質をフィルターとして経由した漏出穴にしてもよい。
【０００９】
また、この鞘状空間の一端を開口させ、これに結合したチューブを介して、注射器や蛇腹状の注入容器を結合し、この注入容器を手に持って掌や親指で押圧して、塗布剤を鞘内に供給しつつ塗布すれば、連続的使用の汎用塗布具として機能する。
【００１０】
更に、複数個の鞘状空間を具備し、これらに違う種類の塗布剤を充填して、塗布時に混合させれば、塗布剤混合の塗布が可能となる。
【発明の効果】
【００１１】
使い捨て式に於いては、塗布のための準備手順が不要で、目的の箇所にすぐに塗布剤を塗布する事が出来る。そして、従来の含侵式に於ける、保存性の難点、塗布材の利用効率の悪さ、含侵量の少なさ等の欠点を解消する事が出来る。
【００１２】
また、本発明のチューブ使用の供給式に於いては、多量の塗布剤を塗布する塗布具として汎用的に利用する事が出来る。例えば接着材や顔料の塗布等に長時間の使用が可能となる。
これを手袋状にしたもはヘアカラーの塗布等、多岐に亘っての利用が可能となるのである。
【図面の簡単な説明】
【００１３】
【図１】使い捨て式の指サック状の化粧剤塗布具の例
【図２】指に装着して封止シールを剥がした図
【図３】下瞼に化粧剤を塗布している図
【図４】塗布剤を再充填し、これに栓をした図
【図５】鞘にチューブを結合し、塗布剤を供給ながら塗布する汎用的塗布具の例
【図６】手袋状の汎用的塗布具の例
【図７】複数個の鞘を具備した塗布具の例
【発明を実施するための形態】
【００１４】
以下図を使い、本発明の実施例につて説明する
図１に示す様に、指サック１００には、両端が閉じた空間を形成する鞘１１０を具備し、この中には化粧剤が充填されている。そして、この鞘１１０には充填物に対応する大きさの漏出穴１１５が空いていて、非使用時の漏出を防止するため封止シール１１８が貼付けされている。
【００１５】
そして図２に示す様に、人指し指に本発明を装着して、封止シール１１８を剥がして、図３に示す様に肌に押し当てると、鞘１１０が押圧され漏出穴１１５から化粧剤が漏出するので、指で押圧力を微調整して、均等に塗布する。
【００１６】
また、図４に示す様に、鞘１１０の一端を開口して、この開口端１５０から塗布剤を再充填し、これに栓１５２で蓋をすれば、繰りかえし使える様になる。
【００１７】
また、図５に示す様に、この開口端１５０にチューブ２００を差込み、供給容器Ｂを結合する。この供給容器Ｂを掌に握り、押圧する事により、供給容器Ｂ内の塗布剤が連続的に供給されるので、塗布しながら塗布剤を補給する事が可能な、汎用的な塗布具として利用出来る。
【００１８】
図６は手袋状であり、各指に鞘１１０が具備されていて、このそれぞれにチューブ２００を介して、供給容器Ｂに結合し、例えばヘアカラーＰをこの供給容器Ｂに入れ、これを親指で押圧すれば、各指の鞘１１０にヘアカラーが送り込まれ漏出穴１５０から漏出するので、これを頭髪に指先で連続的に撫で付ける事が出来るので、ムラなく染める事が出来る。
【００１９】
接着剤等に於いては、二種類の接着剤を混合して塗布するものがあるが、図７に示す様に、２個の鞘１１０を具備し、第一の接着剤を一方の鞘１１０に、第二の接着剤を他方の鞘１１０に充填して、使用時には一方の鞘１１０の封止シール１１８を剥がして塗布した後、他方の鞘１１０の封止シール１１８を剥がして塗布する事により、両接着剤を接着箇所で混合する事が可能になる。この様に２種混合塗布剤の塗布具としても機能する。
【符号の説明】
【００２０】
１００    指サック
１０５    手袋
１１０    鞘
１１５    漏出穴
１１８    封止シール
１５０    開口端
１５２    栓
２００    チューブ
Ｂ        注入容器
Ｐ        塗布剤
【図１】
2018038775.tif 000003
【図２】
2018038775.tif 000004
【図３】
2018038775.tif 000005
【図４】
2018038775.tif 000006
【図５】
2018038775.tif 000007
【図６】
2018038775.tif 000008
【図７】
2018038775.tif 000009